(57)【要約】【課題】画像表示装置の製造コストを低減し得る表示制御方法を提供する。【解決手段】縦方向の画素数と横方向の画素数との比が１：１の基準画像データに基づく基準画像を表示させたときに縦方向の長さと横方向の長さとの比が３：４となる液晶パネル２０に対して、縦方向の長さと横方向の長さとの比が１：１の表示画像を表示させるときに、縦方向の画素数と横方向の画素数との比が４：３の画像データに基づいて表示画像を表示させる表示制御方法であって、表示画像を回転させて表示させるときに、縦方向の画素数と横方向の画素数との比が１：１の拡大画像データＤｅにデコードデータＤｄを変換し、回転画像データＤｔ１に変換し、縦方向の画素数と横方向の画素数との比が４：３の縮小画像データＤｒに変換し、縮小画像データＤｒに基づく表示画像Ｇ２を回転させた表示画像として表示させる。【選択図】        図３
2004198930.tif 000002
【特許請求の範囲】
【請求項１】
縦方向の画素数と横方向の画素数との比が１：１の基準画像データに基づく基準画像を表示させたときに当該基準画像における縦方向の長さと横方向の長さとの比がＮ：Ｍ（ＮおよびＭは互いに異なる自然数）となる表示部に対して、縦方向の長さと横方向の長さとの比がＬ：Ｋ（ＬおよびＫは自然数）の表示画像を表示させるときに、縦方向の画素数と横方向の画素数との比が（Ｍ×Ｌ）：（Ｎ×Ｋ）の画像データに基づいて前記表示画像を表示させる表示制御方法であって、
前記表示画像を回転させて表示させるときに、前記画像データに対して画像拡大処理または画像縮小処理を実行することによって縦方向の画素数と横方向の画素数との比がＬ：Ｋの第１変換画像データに変換し、当該第１変換画像データに対して画像回転処理を実行することによって第２変換画像データに変換し、当該第２変換画像データに対して画像拡大処理または画像縮小処理を実行することによって縦方向の画素数と横方向の画素数との比が（Ｍ×Ｌ）：（Ｎ×Ｋ）の第３変換画像データに変換し、当該第３変換画像データに基づく表示画像を前記回転させた表示画像として表示させる表示制御方法。
【請求項２】
縦方向の画素数と横方向の画素数との比が１：１の基準画像データに基づく基準画像を表示させたときに当該基準画像における縦方向の長さと横方向の長さとの比がＮ：Ｍ（ＮおよびＭは互いに異なる自然数）となる表示部と、縦方向の長さと横方向の長さとの比がＬ：Ｋ（ＬおよびＫは自然数）の表示画像を前記表示部に表示させるときに縦方向の画素数と横方向の画素数との比が（Ｍ×Ｌ）：（Ｎ×Ｋ）の画像データに基づいて前記表示画像を表示させる制御部と、前記画像データを記憶する記憶部とを備えた画像表示装置であって、
前記制御部は、前記表示画像を回転させて表示させるときに、前記画像データに対して画像拡大処理または画像縮小処理を実行することによって縦方向の画素数と横方向の画素数との比がＬ：Ｋの第１変換画像データに変換し、当該第１変換画像データに対して画像回転処理を実行することによって第２変換画像データに変換し、当該第２変換画像データに対して画像拡大処理または画像縮小処理を実行することによって縦方向の画素数と横方向の画素数との比が（Ｍ×Ｌ）：（Ｎ×Ｋ）の第３変換画像データに変換し、当該第３変換画像データに基づく表示画像を前記回転させた表示画像として表示させる画像表示装置。
【発明の詳細な説明】
【０００１】
【発明の属する技術分野】
本発明は、画像データに基づく表示画像を表示部に表示させる表示制御方法、および画像データに基づく表示画像を表示可能に構成された画像表示装置に関するものである。
【０００２】
【従来の技術】
今日の遊技機には、遊技用の表示画像などを表示するための画像表示装置が配設されている。この種の画像表示装置として、出願人は、特開平１０−２４４０５４号公報にパチンコ機用の液晶表示装置（１１，表示部）と、この液晶表示装置の画像表示を制御する制御ユニットとを備えた画像表示装置を開示している。この画像表示装置は、遊技機における主制御部の制御下で、例えば図５に示す表示画像Ｇ１２（以下、表示画像の内容を区別しないときには「表示画像Ｇ」ともいう）を表示する。この場合、液晶表示装置（１１）は、その縦方向の長さと横方向の長さとの比（以下、「縦横長比」ともいう）が９：１６（アスペクト比が１６×９）の液晶パネル２０（液晶表示素子部５０）を備え、その縦横長比が３：４の一般的な液晶表示装置と比較して横長の画像（ワイド画像）を表示可能に構成されている。具体的には、液晶パネル２０は、その画面を構成する各セル（表示画像Ｇの各画素Ｐ，Ｐ・・にそれぞれ対応する画面上の区画）の縦横長比が３：４の長方形状に規定されると共に、縦方向のセル数と横方向のセル数との比（以下、「縦横数比」ともいう）が３：４となるように各セルが配列されて構成されている。
【０００３】
制御ユニットは、図５に示す画像データＤｐ１２など（以下、区別しないときには「画像データＤｐ」ともいう）を記憶する画像データ記憶部と、遊技機の主制御部によって出力された制御信号に従って画像データＤｐに基づく表示画像Ｇ（一例として表示画像Ｇ１２）を液晶表示装置（１１）に表示させる制御部とを備えて構成されている。この場合、例えば画像データＤｐは、ヘッダ部とデータブロック（画素値情報ブロック）とを備えて構成されている。ヘッダ部には、画像データＤｐに対応する表示画像Ｇの画像サイズを示す画像サイズ情報（表示画像Ｇを構成する各画素Ｐ，Ｐ・・の縦方向の数および横方向の数を特定可能な情報）や、画像データＤｐのデコード処理の際に参照するカラーパレットデータを特定するためのパレット情報などが記録されている。データブロックには、表示画像Ｇの各画素にそれぞれ対応付けられて各画素の色を特定するための複数の画素値情報が記録されている。なお、図５では、表示画像Ｇ１２における各画素Ｐ，Ｐ・・の配列状態に合わせて画像データＤｐ１２の各画素値情報Ｖ，Ｖ・・を配列させて概念的に図示している。以下、このような状態に図示した画像データＤｐの縦方向における画素値情報Ｖの数と横方向における画素値情報Ｖの数との比をその画像データＤｐにおける画素の縦横数比として説明する。
【０００４】
この場合、上記したように、液晶パネル２０における各セルの縦横長比が３：４のため、図４に示すように、その画素の縦横数比が１：１の画像データＤｐ１１（縦方向の画素数および横方向の画素数が共に８画素の画像データＤｐ）に基づく表示画像Ｇを表示させた際には、縦横長比が３：４の横長の表示画像Ｇ１１が表示される。したがって、出願人が開示している画像表示装置では、液晶パネル２０上における縦横長比が例えば１：１の表示画像Ｇを表示させる画像データＤｐとして、画素の縦横数比が４：３の画像データＤｐ（縦方向の画素数が８画素で横方向の画素数が６画素の画像データＤｐ：一例として画像データＤｐ１２）が記憶部に記憶されている。これにより、縦横長比が３：４の複数のセルからなる液晶パネル２０に縦横長比が１：１の表示画像Ｇ１２を表示させることができる。
【０００５】
一方、例えば表示画像Ｇ１２を９０度回転させて表示させる場合、画像データＤｐ１２に対して画像回転処理した回転画像データＤｔ１１（図６参照）に基づく表示画像Ｇを表示させた際には、図６に示すように、横方向に間延びした表示画像Ｇ（縦横長比が（３×３）：（４×４）＝９：１６の表示画像Ｇ１３）が表示される。この際には、回転の前後において表示画像Ｇの縦横比が変化するため、遊技者に違和感を与えることとなる。したがって、この画像表示装置では、回転の前後においてその縦横長比が１：１の表示画像Ｇ，Ｇを表示可能とするために、回転前の画像データＤｐ（この場合、画像データＤｐ１２）と、回転後の画像データＤｐとがそれぞれ記憶部に記憶されている。この場合、回転後の画像データＤｐは、表示画像Ｇ１２を９０度回転させた表示画像Ｇについての画像データＤｐであって、その画素の縦横数比が画像データＤｐ１２と等しい４：３に規定されている。この結果、この画像データＤｐを用いることにより、表示画像Ｇ１２を９０度回転させた表示画像Ｇが１：１の縦横長比で表示される。
【０００６】
【特許文献１】
特開平１０−２４４０５４号公報（第３頁）
【０００７】
【発明が解決しようとする課題】
ところが、出願人が開示している画像表示装置には、以下の課題がある。すなわち、この画像表示装置では、表示画像Ｇを例えば常に１：１の縦横長比で回転表示させるために、回転角度毎に数多くの画像データＤｐを予め作成して記憶部に記憶させている。したがって、数多くの画像データＤｐを記憶させるために、大容量の記憶部が必要となっている。また、表示画像Ｇを回転表示させる都度、画像データＤｐの読出し処理、および読み出した画像データＤｐに対するデコード処理を実行する必要があるため、これらの処理を短時間で実行するために高性能の制御部が必要となっている。したがって、従来の画像表示装置には、大容量の記憶部および高性能の制御部を必要とすることに起因して、その製造コストが高騰しているという課題がある。
【０００８】
本発明は、かかる課題に鑑みてなされたものであり、画像表示装置の製造コストを低減し得る表示制御方法および画像表示装置を提供することを主目的とする。
【０００９】
【課題を解決するための手段】
上記目的を達成すべく本発明に係る表示制御方法は、縦方向の画素数と横方向の画素数との比が１：１の基準画像データに基づく基準画像を表示させたときに当該基準画像における縦方向の長さと横方向の長さとの比がＮ：Ｍ（ＮおよびＭは互いに異なる自然数）となる表示部に対して、縦方向の長さと横方向の長さとの比がＬ：Ｋ（ＬおよびＫは自然数）の表示画像を表示させるときに、縦方向の画素数と横方向の画素数との比が（Ｍ×Ｌ）：（Ｎ×Ｋ）の画像データに基づいて前記表示画像を表示させる表示制御方法であって、前記表示画像を回転させて表示させるときに、前記画像データに対して画像拡大処理または画像縮小処理を実行することによって縦方向の画素数と横方向の画素数との比がＬ：Ｋの第１変換画像データに変換し、当該第１変換画像データに対して画像回転処理を実行することによって第２変換画像データに変換し、当該第２変換画像データに対して画像拡大処理または画像縮小処理を実行することによって縦方向の画素数と横方向の画素数との比が（Ｍ×Ｌ）：（Ｎ×Ｋ）の第３変換画像データに変換し、当該第３変換画像データに基づく表示画像を前記回転させた表示画像として表示させる。
【００１０】
また、本発明に係る画像表示装置は、縦方向の画素数と横方向の画素数との比が１：１の基準画像データに基づく基準画像を表示させたときに当該基準画像における縦方向の長さと横方向の長さとの比がＮ：Ｍ（ＮおよびＭは互いに異なる自然数）となる表示部と、縦方向の長さと横方向の長さとの比がＬ：Ｋ（ＬおよびＫは自然数）の表示画像を前記表示部に表示させるときに縦方向の画素数と横方向の画素数との比が（Ｍ×Ｌ）：（Ｎ×Ｋ）の画像データに基づいて前記表示画像を表示させる制御部と、前記画像データを記憶する記憶部とを備えた画像表示装置であって、前記制御部は、前記表示画像を回転させて表示させるときに、前記画像データに対して画像拡大処理または画像縮小処理を実行することによって縦方向の画素数と横方向の画素数との比がＬ：Ｋの第１変換画像データに変換し、当該第１変換画像データに対して画像回転処理を実行することによって第２変換画像データに変換し、当該第２変換画像データに対して画像拡大処理または画像縮小処理を実行することによって縦方向の画素数と横方向の画素数との比が（Ｍ×Ｌ）：（Ｎ×Ｋ）の第３変換画像データに変換し、当該第３変換画像データに基づく表示画像を前記回転させた表示画像として表示させる。
【００１１】
【発明の実施の形態】
以下、添付図面を参照して、本発明に係る画像表示装置の好適な実施の形態について説明する。
【００１２】
最初に、画像表示装置１の構成について、図面を参照して説明する。
【００１３】
画像表示装置１は、例えばパチンコ台などの遊技機に搭載されて遊技機における主制御部の制御下で表示画像Ｇ（一例として、図２に示す表示画像Ｇ１）を表示可能に構成されている。具体的には、図１に示すように、画像表示装置１は、表示部１１、画像データ記憶部３、表示手順データ記憶部４、制御部５、処理済みデータ記憶部６および表示用画像データ記憶部７を備えて構成されている。表示部１１は、例えば、カラー表示可能な液晶パネル２０を備えて構成され、制御部５によって出力された表示用画像データＤｇに基づく表示画像Ｇを液晶パネル２０に表示する。この場合、液晶パネル２０は、その画面を構成している各セルＣ，Ｃ・・（図２参照）の縦横数比が３：４に規定されると共に、各セルＣ単体の縦横長比が３：４の長方形状に形成されている。これにより、画面の縦横長比が９：１６となるように構成されている。したがって、この液晶パネル２０に対して、その画素の縦横数比が１：１の基準画像データ（一例として、図４に示す画像データＤｐ１１）に基づく基準画像（図示せず）を表示させたときには、その基準画像における縦方向の長さと横方向の長さとの比が３：４（本発明におけるＮ：Ｍの一例）となる。
【００１４】
画像データ記憶部３は、本発明における記憶部に相当し、図２に示す画像データＤｐ１などを記憶する。この場合、画像データＤｐ１は、その縦方向の長さと横方向の長さとの比が１：１（本発明におけるＬ：Ｋの一例）の表示画像Ｇ１を表示するための画像データであって、その画素の縦横数比が４：３（本発明における（Ｍ×Ｌ）：（Ｎ×Ｋ）の一例）に規定されている。なお、同図では、表示画像Ｇ１における各画素Ｐ，Ｐ・・の配列状態に合わせて画像データＤｐ１の各画素値情報Ｖ，Ｖ・・を配列させて概念的に図示している。この場合、このような状態に図示した画像データＤｐ１の縦方向における画素値情報Ｖの数と横方向における画素値情報Ｖの数との比が本発明における「画像データにおける縦方向の画素数と横方向の画素数との比」に相当する。なお、以下の説明において参照する各図（例えば図３）では、デコードデータＤｄ、拡大画像データＤｅ、回転画像データＤｔ１、縮小画像データＤｒおよび表示用画像データＤｇなどの各々の画素値情報Ｖ，Ｖ・・の配列状態を画像データＤｐ１と同様にしてそれぞれ概念的に図示している。表示手順データ記憶部４は、各表示画像Ｇの表示手順に関する表示手順データＤｈを記憶する。この場合、表示手順データＤｈは、各表示画像Ｇに対応する画像データＤｐを指定する画像データ指定情報や、液晶パネル２０の画面における各表示画像Ｇの表示位置を指定する表示位置情報などを含んで構成されている。
【００１５】
制御部５は、遊技機の主制御部によって出力された制御信号Ｓに従って表示手順データＤｈを表示手順データ記憶部４から読み出すと共に、読み出した表示手順データＤｈに従って各表示画像Ｇに対応する画像データＤｐを画像データ記憶部３から読み出す。また、制御部５は、読み出した画像データＤｐに対してデコード処理を実行することによってデコードデータＤｄを生成して処理済みデータ記憶部６に記憶させる。また、制御部５は、処理済みデータ記憶部６に記憶させたデコードデータＤｄを読み出して表示用画像データ記憶部７に記憶させることにより、デコードデータＤｄに対応する画像を表示用画像データ記憶部７内に仮想的に配置して表示用画像データＤｇを生成する。さらに、制御部５は、生成した表示用画像データＤｇを表示部１１に出力することにより、表示部１１に表示画像Ｇを表示させる。また、制御部５は、表示画像Ｇを所定の角度回転させて表示させる旨の制御信号Ｓが出力されたときには、デコードデータＤｄに対して後述するデータ変換処理を実行して拡大画像データ（第１変換画像データ）Ｄｅ、回転画像データ（第２変換画像データ）Ｄｔ１および縮小画像データ（第３変換画像データ）Ｄｒを生成して処理済みデータ記憶部６に記憶させる。
【００１６】
処理済みデータ記憶部６は、制御部５によって生成されたデコードデータＤｄ、拡大画像データＤｅ、回転画像データＤｔ１および縮小画像データＤｒなどを記憶する。表示用画像データ記憶部７は、表示用画像データＤｇを生成するためのビデオメモリであって、デコードデータＤｄおよび縮小画像データＤｒなど（すなわち、表示用画像データＤｇ）を一時的に記憶する。
【００１７】
次に、画像表示装置１による表示画像Ｇの表示手順について、図面を参照して説明する。
【００１８】
この画像表示装置１では、例えば、表示画像Ｇ１の表示を指示する制御信号Ｓが遊技機の主制御部によって出力されたときには、制御部５が画像処理を開始する。この画像処理では、制御部５は、まず、制御信号Ｓに従って表示手順データ記憶部４から表示手順データＤｈを読み出す。次に、制御部５は、表示手順データＤｈに基づいて表示すべき表示画像Ｇ１に対応する画像データＤｐ１を特定し、特定した画像データＤｐ１を画像データ記憶部３から読み出す。次いで、制御部５は、読み出した画像データＤｐ１に対してデコード処理を実行することによって図３に示すデコードデータＤｄを生成し、生成したデコードデータＤｄを処理済みデータ記憶部６に記憶させる。続いて、制御部５は、処理済みデータ記憶部６に記憶されているデコードデータＤｄを表示用画像データ記憶部７に記憶させることにより、デコードデータＤｄに対応する画像を表示用画像データ記憶部７内に仮想的に配置（描画）して表示用画像データＤｇを生成する。次に、制御部５は、生成した表示用画像データＤｇを表示部１１に出力する。一方、表示部１１は、制御部５によって出力された表示用画像データＤｇに基づく表示画像Ｇ１を液晶パネル２０に表示する。この際に、画像データＤｐ１の画素の縦横数比が４：３で液晶パネル２０の各セルＣ，Ｃ・・の縦横長比が３：４のため、図２に示すように、液晶パネル２０に表示された表示画像Ｇ１は、その縦横長比が１：１（（４×３）：（３×４））となる。
【００１９】
次いで、遊技機の主制御部によって表示画像Ｇ１を例えば９０度右回転して表示させる旨の制御信号Ｓが出力されたときには、制御部５は、画像データＤｐ１に対応するデコードデータＤｄが処理済みデータ記憶部６に記憶されているか否かを判別する。この場合、画像データＤｐ１に対応するデコードデータＤｄが処理済みデータ記憶部６に記憶されているため、制御部５は、デコードデータＤｄを読み出してデータ変換処理する。このデータ変換処理では、図３に示すように、制御部５は、読み出したデコードデータＤｄに対して横方向の画像拡大処理を実行することにより、同図に示すように、その画素の縦横数比が１：１（Ｌ：Ｋ）の拡大画像データＤｅに変換して処理済みデータ記憶部６に記憶させる。次に、制御部５は、拡大画像データＤｅに対して画像回転処理を実行することによって回転画像データＤｔ１に変換して処理済みデータ記憶部６に記憶させる。次いで、制御部５は、回転画像データＤｔ１に対して横方向の画像縮小処理を実行することにより、その画素の縦横数比が画像データＤｐ１における画素の縦横数比と同一（この場合、４：３＝（Ｍ×Ｌ）：（Ｎ×Ｋ））の縮小画像データＤｒに変換して処理済みデータ記憶部６に記憶させる。続いて、制御部５は、処理済みデータ記憶部６に記憶されている縮小画像データＤｒを表示用画像データ記憶部７に記憶させることにより、表示用画像データ記憶部７内に表示用画像データＤｇを生成する。この後、制御部５は、生成した表示用画像データＤｇを表示部１１に出力する。
【００２０】
一方、表示部１１は、制御部５によって出力された表示用画像データＤｇに基づく表示画像Ｇ２を液晶パネル２０に表示する。この際に、縮小画像データＤｒの画素の縦横数比が４：３で液晶パネル２０の各セルＣ，Ｃ・・の縦横長比が３：４のため、図２に示すように、液晶パネル２０に表示された表示画像Ｇ２は、その縦横長比が表示画像Ｇ１と等しい１：１（（４×３）：（３×４））となる。
【００２１】
このように、この画像表示装置１によれば、画素の縦横数比が１：１の拡大画像データＤｅに画像データＤｐを変換し、画像回転処理を実行することによって回転画像データＤｔ１に変換し、画素の縦横数比が４：３の縮小画像データＤｒに変換し、縮小画像データＤｒに基づく表示画像Ｇ２を回転させた表示画像Ｇとして表示させることにより、各回転角度毎に異なる画像データＤｐを記憶させることなく、一つの画像データＤｐに基づいて表示画像Ｇを回転表示させることができる。このため、画像データ記憶部３に記憶させるべき画像データＤｐのデータ数を少なくすることができる結果、記憶容量が小さい安価なメモリを画像データ記憶部３として採用して画像表示装置１の製造コストを低減することができる。また、数多くの画像データＤｐに対する読出し処理およびデコード処理等を不要にできるため、制御部５の負担を十分に軽減することができる。この結果、高性能の制御部５が不要となる分だけ画像表示装置１の製造コストを低減することができる。さらに、表示画像Ｇを回転表示させるための数多くの画像データＤｐが不要となるため、画像データＤｐの作成に要するコストも十分に低減することができる。
【００２２】
なお、本発明は、上記した本発明の実施の形態に限定されない。例えば、本発明の実施の形態では、画像表示装置１を遊技機に搭載した例について説明したが、本発明はこれに限定されず、例えばパソコン用ディスプレイやプロジェクタ装置に適用することもできる。また、液晶パネル２０に代えて、ＣＲＴやプラズマディスプレイなどを採用して本発明に係る画像表示装置を構成することもできる。さらに、本発明の実施の形態では、画面を構成する各セル単体の縦横長比が３：４で、画面の縦横長比が９：１６の液晶パネル２０を備えた例について説明したが、各セルの縦横長比および液晶パネルの縦横長比はこれに限定されない。また、本発明の実施の形態では、デコードデータＤｄに対して横方向の画像拡大処理を実行することによって拡大画像データＤｅに変換し、その拡大画像データＤｅに対して画像回転処理を行う例について説明したが、本発明はこれに限定されず、デコードデータＤｄに対して縦方向の画像縮小処理を実行することによって画素数比が１：１の縮小画像データを生成し、その縮小画像データに対して画像回転処理を行ってもよい。さらに、本発明の実施の形態では、回転画像データＤｔ１に対して横方向の画像縮小処理を実行することによって縮小画像データＤｒに変換し、その縮小画像データＤｒを表示用画像データ記憶部７に記憶させる例について説明したが、本発明はこれに限定されず、回転画像データＤｔ１に対して縦方向の画像拡大処理を実行することによって画素数比が４：３の拡大画像データに変換し、その拡大画像データを表示用画像データ記憶部７に記憶させてもよい。また、本発明の実施の形態では、表示画像Ｇ１を９０度右回転させた表示画像Ｇ２を表示する例について説明したが、回転角度および回転方向はこれに限定されず、例えば３０度や４５度などの任意の角度で右方向または左方向に回転させた表示画像を表示画像Ｇ１と等しい縦横長比で表示させることができる。
【００２３】
【発明の効果】
以上のように、本発明に係る表示制御方法および画像表示装置によれば、縦方向の画素数と横方向の画素数との比がＬ：Ｋの第１変換画像データに画像データを変換し、画像回転処理を実行することによって第２変換画像データに変換し、縦方向の画素数と横方向の画素数との比が（Ｍ×Ｌ）：（Ｎ×Ｋ）の第３変換画像データに変換し、その第３変換画像データに基づく表示画像を回転させた表示画像として表示させることにより、各回転角度毎の異なる画像データを記憶させることなく、一つの画像データに基づいて表示画像を回転表示させることができる。このため、記憶部に記憶させるべき画像データのデータ数（すなわち、画像データの総データ容量）を少なくすることができる結果、記憶容量が小さい安価な記憶部を採用して画像表示装置の製造コストを低減することができる。また、数多くの画像データに対する読出し処理およびデコード処理等を不要にできるため、制御部の負担を十分に軽減することができる。この結果、高性能の制御部が不要となる分だけ画像表示装置の製造コストを低減することができる。さらに、表示画像を回転表示させるための数多くの画像データが不要となるため、画像データの作成に要するコストも十分に低減することができる。
【図面の簡単な説明】
【図１】本発明の実施の形態に係る画像表示装置１の構成を示すブロック図である。
【図２】画像表示装置１の液晶パネル２０に表示画像Ｇ１を表示するための画像データＤｐ１の構成を説明するためのデータ概念図、および液晶パネル２０に表示させた表示画像Ｇ１の画像図である。
【図３】液晶パネル２０に表示画像Ｇ２を表示するためのデコードデータＤｄ、拡大画像データＤｅ、回転画像データＤｔ１、縮小画像データＤｒおよび表示用画像データＤｇの構成を説明するためのデータ概念図、並びに液晶パネル２０に表示させた表示画像Ｇ２の画像図である。
【図４】従来の画像表示装置における液晶パネル２０に表示画像Ｇ１１を表示するための画像データＤｐ１１の構成を説明するためのデータ概念図、および液晶パネル２０に表示させた表示画像Ｇ１１の画像図である。
【図５】従来の画像表示装置における液晶パネル２０に表示画像Ｇ１２を表示するための画像データＤｐ１２の構成を説明するためのデータ概念図、および液晶パネル２０に表示させた表示画像Ｇ１２の画像図である。
【図６】従来の画像表示装置における液晶パネル２０に表示画像Ｇ１３を表示するための画像データＤｐ１２および回転画像データＤｔ１１の構成を説明するためのデータ概念図、並びに液晶パネル２０に表示させた表示画像Ｇ１３の画像図である。
【符号の説明】
１  画像表示装置
３  画像データ記憶部
５  制御部
１１  表示部
２０  液晶パネル
Ｇ１，Ｇ２  表示画像
Ｄｅ  拡大画像データ
Ｄｐ１  画像データ
Ｄｒ  縮小画像データ
Ｄｔ１  回転画像データ
Ｐ  画素
Ｓ  制御信号
Ｖ  画素値情報
【図１】
2004198930.tif 000003
【図２】
2004198930.tif 000004
【図３】
2004198930.tif 000005
【図４】
2004198930.tif 000006
【図５】
2004198930.tif 000007
【図６】
2004198930.tif 000008